(57)【特許請求の範囲】
【請求項１】
電子機器を制御するための上下左右に配列されたテンキー部を備えた入力装置であって、
前記テンキー部の表示番号と前記テンキー部の操作により入力される番号との対応を外部からの遠隔操作により予め設定されている変換コードに従って変更して、
前記一旦変更したテンキー部の表示番号に対応する前記テンキー部の操作により入力される番号の設定を外部からの遠隔操作により解除して元に戻すことができるように構成することを特徴とするセキュリティ機能付き入力装置。
【請求項２】
電話番号、電子メールまたはＷｅｂページを表示する表示器と上下左右に配列されたテンキー部を備えた通信端末の入力装置であって、
前記テンキー部の表示番号と前記テンキー部の操作により入力される番号との対応を外部からの遠隔操作により予め設定されている変換コードに従って変更して、
前記一旦変更したテンキー部の表示番号に対応する前記テンキー部の操作により入力される番号の設定を外部からの遠隔操作により解除して元に戻すことができるように構成することを特徴とするセキュリティ機能付き入力装置。
【請求項３】
請求項２に記載のセキュリティ機能付き入力装置による通信端末を用いて電子商取引を行う際に、前記通信端末から入力されたクレジットカード番号等の各種識別コードまたは暗号化されたコードを複数に分割し、分割された夫々のコードを、通信手段を分けて送信することを特徴とするセキュリティ機能付き識別コード登録システム。
【請求項４】
前記通信手段は、Ｗｅｂ転送（ＨＴＴＰ）、ファイル転送（ＦＴＰ）、メール転送（ＳＭＴＰ、ＰＯＰ）、電話またはファクシミリのいずれかまたは複数の組合せであることを特徴とする請求項３に記載のセキュリティ機能付き識別コード登録システム
【請求項５】
請求項２に記載のセキュリティ機能付き入力装置による通信端末を用いて電子商取引を行う際に、前記通信端末から入力されたクレジットカード番号等の各種識別コードまたは暗号化されたコードを複数に分割し、分割された夫々のコードを、異なる複数のサーバー装置に分けて保存することを特徴とするセキュリティ機能付き識別コード登録システム。
【発明の詳細な説明】
【０００１】
【発明の属する技術分野】
本発明は、携帯電話機等の電子機器を他人が使用できなくしたり、電子商取引などでクレジットカード番号の漏洩を防いだりするセキュリティ機能に関するものである。
【０００２】
【従来の技術】
従来、ＥＣ（ｅーコマース、電子商取引等と称される電子モールでの買い物）取引で、インターネットで最も利用されているのは、暗号化されたクレジットカード番号の送信による電子決済プロトコルのＳＥＴ（Ｓｅｃｕｒｅ  Ｅｌｅｃｔｒｏｎｉｃ  Ｔｒａｎｓａｃｔｉｏｎ）である。
【０００３】
ＳＥＴの暗号化方式は公開鍵であり、その特徴としては、インターネット上の仮想店舗（電子モール）では暗号化したユーザーのカード番号を複号化する暗号鍵を持たないために、電子モール店に対してはカード番号を秘匿できるというセキュリティ上の利点がある。取引手順については図４に示すように、１、先ず、ユーザーはＰＣ（パーソナルコンピュータ）等のＷｅｂブラウザ上から、注文書として商品番号や、クレジットカード番号を別々の暗号鍵で暗号化して電子モール（仮想店舗）へ送る。
２、電子モールでは暗号化されたユーザーからのカード番号をそのままクレジットカード会社へ転送する。
３、クレジットカード会社ではカードの与信チェックを行い、結果を電子モールへ通知する。
４、電子モールでは与信が確認された注文だけを受付け、商品番号を復号化して注文商品を消費者に発送する。
５、電子モールから決済依頼がくると、クレジットカード会社はユーザーの銀行口座から代金を引き落とし決済する。
【０００４】
【発明が解決しようとする課題】
しかしながら、従来技術では、ユーザーが使っている端末が電話回線を介して接続しているＰＣ端末なので、電子認証や公開鍵によるクレジットカード番号の暗号化などが容易であるが、ユーザー端末が標準的なｉモード等のインターネット接続機能付き携帯電話機等の場合は、携帯電話機が無線通信であり、また性能的にも高度なプログラムを内蔵するということが難しく公開鍵による暗号化も行われていないのでセキュリティ保護が難しいという問題があった。また、ＰＣ端末と違ってユーザー・パスワード等によるユーザー・ロックを容易に掛けるということは難しいので、誰にでも勝手に使用されて悪用される危険があるという問題があった。
【０００５】
そこで、本発明は、外部から携帯電話機等の電子機器に使用プロテクトを掛けて本人以外は勝手に使用できないようにできると共に、ＥＣ取引等の場合にクレジットカード会社へ伝送するクレジットカード番号のセキュリティを、簡単な方法で確実に保護できるセキュリティ機能付き入力装置および識別コード登録システムを提供することを目的としている。
【０００６】
【課題を解決するための手段】
上記目的を達成するため、請求項１に記載の発明は、電子機器を制御するための上下左右に配列されたテンキー部を備えた入力装置であって、前記テンキー部の表示番号と前記テンキー部の操作により入力される番号との対応を外部からの遠隔操作により予め設定されている変換コードに従って変更して、前記一旦変更したテンキー部の表示番号に対応する前記テンキー部の操作により入力される番号の設定を外部からの遠隔操作により解除して元に戻すことができるように構成することを特徴としている。また、請求項２に記載の発明は、電話番号、電子メールまたはＷｅｂページを表示する表示器と上下左右に配列されたテンキー部を備えた通信端末の入力装置であって、前記テンキー部の表示番号と前記テンキー部の操作により入力される番号との対応を外部からの遠隔操作により予め設定されている変換コードに従って変更して、前記一旦変更したテンキー部の表示番号に対応する前記テンキー部の操作により入力される番号の設定を外部からの遠隔操作により解除して元に戻すことができるように構成することを特徴としている。
【０００７】
また、請求項３に記載の発明は、請求項２に記載のセキュリティ機能付き入力装置による通信端末を用いて電子商取引を行う際に、前記通信端末から入力されたクレジットカード番号等の各種識別コードまたは暗号化されたコードを複数に分割し、分割された夫々のコードを、通信手段を分けて送信することを特徴としている。また、請求項４に記載の発明は、請求項３の発明において前記通信手段が、Ｗｅｂ転送（ＨＴＴＰ）、ファイル転送（ＦＴＰ）、メール転送（ＳＭＴＰ、ＰＯＰ）、電話またはファクシミリのいずれかまたは複数の組合せであることを特徴としている。
また、請求項５に記載の発明は、請求項２に記載のセキュリティ機能付き入力装置による通信端末を用いて電子商取引を行う際に、前記通信端末から入力されたクレジットカード番号等の各種識別コードまたは暗号化されたコードを複数に分割し、分割された夫々のコードを、異なる複数のサーバー装置に分けて保存することを特徴としている。
【０００８】
【発明の実施の形態】
以下、本発明の実施の形態について図を参照して説明する。図１は本発明の実施の形態に係るセキュリティ機能付き携帯電話機のブロック図であり、以降セキュリティ機能付き入力装置として携帯電話機に適用した例を基に説明する。図２は図１に示す携帯電話機の操作面を示す正面図である。
【０００９】
図１において、１はアンテナ、２はアンテナを介して送受信を行う無線部、３は制御部、４は送受信信号の符号化／復号化部、５は音声データ処理部、６はテンキーや特殊キーからなるキー入力部、７はキー入力部６のキー操作に応じてキー入力を切替えるキー入力信号切替部、８は実際のキー入力信号を変更する番号変更処理部、９は発呼電話番号などを液晶表示器１０に表示させる表示部、１１はマイクロフォンからなる送話部、１２はスピーカからなる受話部である。
【００１０】
つぎに動作について説明する。自分が携帯していない時に自分の携帯電話機を他人に悪用されないようにするには、外部（例えば、自宅の電話機）から携帯電話機に電話して、電話番号の次に、例えば、２バイト程度のロック信号を送信する。ロック信号を受信した携帯電話機は、番号変更処理部８がロック信号を認識して、直接に符号化部４へ接続していたキー入力信号切替部７を番号変更処理部８へ接続する。番号変更処理部８はキー入力信号切替部７からのキー信号を入力して、予め設定されている変換コードに従って番号入力を変更する。
【００１１】
具体的には、例えば、ある使用者がキー入力部６を操作して電話を掛けたとすると、例えば、「５８７６３１８９５８７６」と押した場合、番号変更処理部８は設定コード（例えば、１〜９の数字を逆に９〜１に変換するコードとすれば）を基に、「５２３４７９２１５２３４」と変更して発呼するので使用不能にできる。また、ロックを解除する際は、再び自宅から電話を掛けて再度ロック信号（又は、別の解除信号）を送信すると、番号変更部８が認識して番号変更部８とキー入力信号切替部７の接続を切り離すので、キー操作通りの通常状態に戻る。
【００１２】
なお、番号変更コードは１〜９を逆に９〜１とする例を示したが、変更コードはこれに限らず自由である。また、外部からの操作により番号変更の設定・解除を行うようにしたが、キー入力部６等の携帯電話機の操作部から行うようにしてもよい。また、番号変更処理部８を携帯電話機側に設けたが、サーバー側に設けるようにしてもよい。
【００１３】
次に、ＥＣ取引で識別コードとしてクレジットカード番号を、ｉモードセンター等の携帯電話機用サーバーを介して電子モールへ伝送するような場合のセキュリティ保護について説明する。ユーザーは携帯電話機用サーバーを介しインターネットを通じて電子モールのＨＰ（ホームページ）へアクセスし、電子メール等により電子商取引に関する通信を行った後、セキュリティを保つために、インターネットとは別チャネルで課金情報（クレジットカード番号伝送等）の通信を行う。
【００１４】
図３に示すように、通常の１６桁のクレジットカード番号を、例えば、４分割（その他の分割数でも構わない）Ａ、Ｂ、Ｃ、Ｄブロックに分割する。分割することで暗号化したクレジットカード番号を、別々に、電子メール、郵便、電話、ファックスにより電子モールへ商品番号等と共に別チャネルで送信する。
【００１５】
一方、分割したクレジットカード番号を受信するサーバー側では、さらにサーバー構成を物理的に複数に分けて、Ａ、Ｂ、Ｃ、Ｄという分割単位で別々に保管したり伝送したりする。保管したクレジットカード番号を取出す場合は、図示していないが保管の際に分割情報を予め定められたサーバー装置に保存しておき、その保存情報を基に識別コードを復元する。
【００１６】
これによって簡単な構成で携帯電話機からｉモードセンター等の携帯電話機用サーバー間の、無防備な無線通信領域のセキュリティが確実に保護され、携帯電話機用サーバーから先の専用の与信回線等は勿論、一般のインターネット通信回線についてもセキュリティが確保され、これによって全体的なセキュリティが保護できることになる。
【００１７】
【発明の効果】
以上説明したように、請求項１に記載の発明によれば、電子機器を制御するための上下左右に配列されたテンキー部を備えた入力装置であって、前記テンキー部の表示番号と前記テンキー部の操作により入力される番号との対応を外部からの遠隔操作により予め設定されている変換コードに従って変更して、前記一旦変更したテンキー部の表示番号に対応する前記テンキー部の操作により入力される番号の設定を外部からの遠隔操作により解除して元に戻すことができるように構成しているので、自分の使用する電子機器を使わない時に他人に悪用されないようにロックできる。また、請求項２に記載の発明によれば、電話番号、電子メールまたはＷｅｂページを表示する表示器と上下左右に配列されたテンキー部を備えた通信端末の入力装置であって、前記テンキー部の表示番号と前記テンキー部の操作により入力される番号との対応を外部からの遠隔操作により予め設定されている変換コードに従って変更して、前記一旦変更したテンキー部の表示番号に対応する前記テンキー部の操作により入力される番号の設定を外部からの遠隔操作により解除して元に戻すことができるように構成しているので、自分の使用する通信端末を使わない時に他人に悪用されないようにロックできる。
【００１８】
また、請求項３に記載の発明によれば、請求項２に記載のセキュリティ機能付き入力装置による通信端末を用いて電子商取引を行う際に、通信端末から入力されたクレジットカード番号等の各種識別コードまたは暗号化されたコードを複数に分割し、分割された夫々のコードを、通信手段を分けて送信するので、携帯電話機等の通信端末を用いた場合でも課金情報のセキュリティを確実に保護することができる。また、請求項４に記載の発明によれば、請求項３の発明において通信手段は、Ｗｅｂ転送（ＨＴＴＰ）、ファイル転送（ＦＴＰ）、メール転送（ＳＭＴＰ、ＰＯＰ）、郵便、電話またはファクシミリのいずれかまたは複数の組合せを用いているので、カード番号等のセキュリティが保護される。また、請求項５に記載の発明によれば、請求項２に記載のセキュリティ機能付き入力装置による通信端末を用いて電子商取引を行う際に、通信端末から入力されたクレジットカード番号等の各種識別コードまたは暗号化されたコードを複数に分割し、分割された夫々のコードを、異なる複数のサーバー装置に分けて保存するので、携帯電話機等の通信端末を用いた場合でもネットワーク上でのクレジットカードの番号等のセキュリティを保護できる。
【図面の簡単な説明】
【図１】本発明の実施の形態に係るセキュリティ機能付き携帯電話機のブロック図である。
【図２】図１に示す携帯電話機の正面図である。
【図３】クレジットカード番号の暗号化の説明図である。
【図４】従来の電子商取引の説明図である。
【符号の説明】
１  アンテナ
２  無線部
３  制御部
４  符号化／復号化部
５  音声データ処理部
６  キー入力部
７  キー入力信号切替部
８  番号変更処理部
９  表示部
１０  表示器
１１  マイク
１２  スピーカ
【図１】
0004106459.tif 000002
【図２】
0004106459.tif 000003
【図３】
0004106459.tif 000004
【図４】
0004106459.tif 000005